(57)【要約】      （修正有）【課題】特にインストアベーカリー売場等において、手作りパン等の商品を包装せずに剥き出しの状態で陳列するのに適した開閉式商品陳列什器を提供する。【解決手段】開閉式商品陳列什器1は、複数の枠部材を分離可能に連結して形成される箱状の枠体10を有し、枠体10は、支柱部と上側枠部および下側枠部とで矩形の枠形状に形成される支柱枠部材12と、支柱枠部材12に連結され、四角形の枠形状に形成された１対の側面枠部材14,14と、１対の側面枠部材14,14および支柱枠部材12に連結され、四角形の枠形状に形成された上面枠部材16と、支柱枠部材12および１対の側面枠部材14,14と一体化され、四角形の外端縁形状をもつ底面部材18とを具え、枠体10の前面枠および後面枠のそれぞれの開口の開閉を可能にする可動透光部材32と、枠体10の両側面枠および上面枠のそれぞれの開口を閉鎖する固定透光部材34とを有している。【選択図】図１
2016144491.tif 000002
【特許請求の範囲】
【請求項１】
複数の枠部材を分離可能に連結して形成される箱状の枠体を有する開閉式商品陳列什器であって、
前記枠体は、
棚板を支持するためのブラケットが係合可能な係止孔をもつ複数本の支柱部と、該複数本の支柱部の上端および下端のそれぞれを連結する上側枠部および下側枠部とで矩形の枠形状に形成され、該枠体の前後方向の中間位置で前記枠体の左右方向に延在する支柱枠部材と、
前記枠体の両側面枠を構成し、前記支柱枠部材の左右両端部分に連結され、四角形の枠形状に形成された１対の側面枠部材と、
前記枠体の上面枠を構成し、前記１対の側面枠部材および前記支柱枠部材のそれぞれの上側枠部に連結され、四角形の枠形状に形成された上面枠部材と、
前記枠体の底面板または底面枠を構成し、前記支柱枠部材および前記１対の側面枠部材のそれぞれの下側枠部と一体化され、四角形の外端縁形状をもつ底面部材と
を具え、
前記枠体の前面枠および後面枠のそれぞれの開口に、該開口の開閉を可能にする可動透光部材を有し、前記枠体の前記１対の側面枠および前記上面枠のそれぞれの開口に、該開口を閉鎖する固定透光部材を有することを特徴とする開閉式商品陳列什器。
【請求項２】
前記底面部材は、前記枠体の底面板を構成し、該底面板が、支柱枠部材の下側枠部を挟む前後位置に配置された２枚の分割板からなる請求項１に記載の開閉式商品陳列什器。
【請求項３】
前記１対の側面枠部材は台形の枠形状に形成され、前記上面枠部材は矩形の枠形状に形成され、前記底面部材の外端縁形状は矩形に形成される請求項１または２に記載の開閉式商品陳列什器。
【請求項４】
前記可動透光部材が、複数枚の透光パネルで構成した引き違い戸であり、該引き違い戸の上側レールを、前記枠体の前面枠および後面枠の開口の一部を構成する、前記上面枠部材の前後枠部にそれぞれ設け、前記引き違い戸の下側レールを、前記枠体の前面枠および後面枠の開口の一部を構成する、前記底面部材の前後外端縁部に設ける請求項１、２または３に記載の開閉式商品陳列什器。
【請求項５】
前記１対の側面枠部材は台形の枠形状に形成され、前記上面枠部材は矩形の枠形状に形成され、前記底面部材の外端縁形状は矩形に形成され、
前記可動透光部材が、複数枚の透光パネルで構成した引き違い戸であり、該引き違い戸の上側レールを、前記枠体の前面枠および後面枠の開口の一部を構成する、前記上面枠部材の前後枠部にそれぞれ設け、前記引き違い戸の下側レールを、前記枠体の前面枠および後面枠の開口の一部を構成する、前記底面部材の前後外端縁部に設け、
前記底面部材の前記前後外端縁部に、前記枠体の前後方向内側に向かって傾斜させた傾斜上面をもつレール台座を設け、前記下側レールは、前記レール台座の前記傾斜上面に載置された状態で前記底面部材に分離可能に連結される請求項１または２に記載の開閉式商品陳列什器。
【発明の詳細な説明】
【技術分野】
【０００１】
本発明は、商品を陳列するための開閉式商品陳列什器に関し、特にスーパーマーケットやデパート内のインストアベーカリー売場や惣菜売場において、販売用の手作りパンや惣菜等の商品（食品）を包装せずに剥き出しの状態で陳列するのに適した開閉式商品陳列什器に関する。
【背景技術】
【０００２】
従来の開閉式商品陳列什器は、例えばパンなどの食品を陳列するため、スーパーマーケットやデパートのような店舗等に設置され、主に基台（平台）と、商品陳列する棚板等を設けたケース本体とを一体化して構成された、いわゆる一体据え置き型として作製されるか、あるいは木造造作により作製されるのが一般的である（例えば特許文献１参照）。
【０００３】
このような商品陳列什器は、通常、設置場所以外の場所、例えば組立作業場などで基台（平台）とケース本体とを一体に組み立てる作業を行い、その後、組み立てられた完成品の状態で設置場所に搬入されて設置されるのが一般的である。
【０００４】
しかしながら、このような商品陳列用ケースは、大型化して重量も重くなることから、設置場所への搬入や撤去する際の作業性が悪いという問題がある。
【０００５】
また、商品陳列什器を設置したスーパーマーケットやデパート等の売り場では、定期または不定期にレイアウトの変更を行なうことが想定され、このようなレイアウト変更を行なう場合には、このレイアウトの変更に応じて、商品陳列什器もまた解体や組立が容易になるような構造にして、商品の陳列形式の変更をフレキシブルに行なえることが望ましいと考えられるが、一体据え置き型として、あるいは木造造作により作製した従来の開閉式食品陳列什器では、解体や組立が容易な構造を有していないため、商品の陳列形式をフレキシブルに変更することができず、施工性も悪かった。
【０００６】
さらに、商品陳列什器を、複数のパーツを用いて分離可能に組み立てて製造する場合には、組み立てられた商品陳列什器の強度も不足しがちであった。
【先行技術文献】
【特許文献】
【０００７】
【特許文献１】実公昭６１−１０５３５号公報
【発明の概要】
【発明が解決しようとする課題】
【０００８】
本発明の目的は、複数の枠部材を分離可能に組み立てて高強度の骨組構造（箱状の枠体）を構築するとともに、枠体の開口を各種透光部材で覆うことにより、特にスーパーマーケットやデパート内のインストアベーカリー売場や惣菜売場において、手作りパンや惣菜等の商品（食品）を、包装せずに剥き出しの状態で陳列した場合であっても、商品に埃が付着したり虫が止まったり人が安易に触ったりするのを防止して衛生面を向上させることができ、また、例えば移動式または固定式の既存の平台（テーブル）を什器の基台として用い、この平台上で解体可能に容易に組み立てて平台と一体化することもでき、さらに、複数のパーツを用いて分離可能に組み立てる組立式構造を有するにもかかわらず、什器全体の強度を高い開閉式商品陳列什器を提供することにある。
【課題を解決するための手段】
【０００９】
上記目的を達成するため、本発明の要旨構成は以下の通りである。
（１）複数の枠部材を分離可能に連結して形成される箱状の枠体を有する開閉式商品陳列什器であって、前記枠体は、棚板を支持するためのブラケットが係合可能な係止孔をもつ複数本の支柱部と、該複数本の支柱部の上端および下端のそれぞれを連結する上側枠部および下側枠部とで矩形の枠形状に形成され、該枠体の前後方向の中間位置で前記枠体の左右方向に延在する支柱枠部材と、前記枠体の両側面枠を構成し、前記支柱枠部材の左右両端部分に連結され、四角形の枠形状に形成された１対の側面枠部材と、前記枠体の上面枠を構成し、前記１対の側面枠部材および前記支柱枠部材のそれぞれの上側枠部に連結され、四角形の枠形状に形成された上面枠部材と、前記枠体の底面板または底面枠を構成し、前記支柱枠部材および前記１対の側面枠部材のそれぞれの下側枠部と一体化され、四角形の外端縁形状をもつ底面部材とを具え、前記枠体の前面枠および後面枠のそれぞれの開口に、該開口の開閉を可能にする可動透光部材を有し、前記枠体の前記１対の側面枠および前記上面枠のそれぞれの開口に、該開口を閉鎖する固定透光部材を有することを特徴とする開閉式商品陳列什器。
【００１０】
（２）前記底面部材は、前記枠体の底面板を構成し、該底面板が、支柱枠部材の下側枠部を挟む前後位置に配置された２枚の分割板からなる上記（１）に記載の開閉式商品陳列什
【００１１】
（３）前記１対の側面枠部材は台形の枠形状に形成され、前記上面枠部材は矩形の枠形状に形成され、前記底面部材の外端縁形状は矩形に形成される上記（１）または（２）に記載の開閉式商品陳列什器。
【００１２】
（４）前記可動透光部材が、複数枚の透光パネルで構成した引き違い戸であり、該引き違い戸の上側レールを、前記枠体の前面枠および後面枠の開口の一部を構成する、前記上面枠部材の前後枠部にそれぞれ設け、前記引き違い戸の下側レールを、前記枠体の前面枠および後面枠の開口の一部を構成する、前記底面部材の前後外端縁部に設ける上記（１）、（２）または（３）に記載の開閉式商品陳列什器。
【００１３】
（５）前記１対の側面枠部材は台形の枠形状に形成され、前記上面枠部材は矩形の枠形状に形成され、前記底面部材の外端縁形状は矩形に形成され、前記可動透光部材が、複数枚の透光パネルで構成した引き違い戸であり、該引き違い戸の上側レールを、前記枠体の前面枠および後面枠の開口の一部を構成する、前記上面枠部材の前後枠部にそれぞれ設け、前記引き違い戸の下側レールを、前記枠体の前面枠および後面枠の開口の一部を構成する、前記底面部材の前後外端縁部に設け、前記底面部材の前記前後外端縁部に、前記枠体の前後方向内側に向かって傾斜させた傾斜上面をもつレール台座を設け、前記下側レールは、前記レール台座の前記傾斜上面に載置された状態で前記底面部材に分離可能に連結される上記（１）または（２）に記載の開閉式商品陳列什器。
【発明の効果】
【００１４】
本発明によれば、複数の枠部材を分離可能に連結して形成される箱状の枠体を有し、前記枠体は、棚板を支持するためのブラケットが係合可能な係止孔をもつ複数本の支柱部と、該複数本の支柱部の上端および下端のそれぞれを連結する上側枠部および下側枠部とで矩形の枠形状に形成され、該枠体の前後方向の中間位置で前記枠体の左右方向に延在する支柱枠部材と、前記枠体の両側面枠を構成し、前記支柱枠部材の左右両端部分に連結され、四角形の枠形状に形成された１対の側面枠部材と、前記枠体の上面枠を構成し、前記１対の側面枠部材および前記支柱枠部材のそれぞれの上側枠部に連結され、四角形の枠形状に形成された上面枠部材と、前記枠体の底面板または底面枠を構成し、前記支柱枠部材および前記１対の側面枠部材のそれぞれの下側枠部と一体化され、四角形の外端縁形状をもつ底面部材とを具え、前記枠体の前面枠および後面枠のそれぞれの開口に、該開口の開閉を可能にする可動透光部材を有し、前記枠体の前記両側面枠および前記上面枠のそれぞれの開口に、該開口を閉鎖する固定透光部材を有することによって、特にスーパーマーケットやデパート内のインストアベーカリー売場や惣菜売場において、手作りパンや惣菜等の商品（食品）を、包装せずに剥き出しの状態で陳列した場合であっても、商品に埃が付着したり虫が止まったり人が安易に触ったりするのを防止して衛生面を向上させることができ、また、例えば移動式または固定式の既存の平台（テーブル）を什器の基台として用い、この平台上での組立設置作業や解体作業を容易に行なうこともでき、さらに、複数のパーツを用いて分離可能に組み立てる組立式構造を有するにもかかわらず、什器全体の強度を高い開閉式商品陳列什器を提供することが可能になった。
【図面の簡単な説明】
【００１５】
【図１】図１は、本発明に従う代表的な開閉式商品陳列什器を平台上に組立設置したときの概略斜視図である。
【図２】図２は、図１に示す開閉式商品陳列什器を構成する枠体の概略斜視図である。
【図３】図３は、図１に示す什器の正面図である。
【図４】図４は、図１に示す什器の側面図である。
【図５】図５は、図１に示す什器の平面（上面）図である。
【図６】図６は、図１に示す什器の底面図である。
【図７】図７は、図２に示す枠体から抜き出した支柱枠部材の正面図である。
【図８】図８は、図２に示す枠体から抜き出した側面枠部材の正面図である。
【図９】図９は、図２に示す枠体から抜き出した上面枠部材を示したものであって、図９（ａ）が平面図、図９（ｂ）が側面図である。
【図１０】図１０は、図２に示す枠体から抜き出した底面部材（底面板）を構成する２枚の分割板のうちの１枚の分割板のみを示したものであって、図１０（ａ）が平面図、図１０（ｂ）が正面図、図１０（ｃ）が側面図、図１０（ｄ）がＩ−Ｉ断面図である。
【図１１】図１１は、図１０（ｃ）に示す分割板の前端縁部に、下側レールおよびレール台座を取り付けたときの分割板の状態を示す側面図である。
【図１２】図１２は、図１１に示す下側レールおよびレール台座の取付状態を示す分割板の拡大側面図である。
【発明を実施するための形態】
【００１６】
次に、本発明の実施形態について図面を参照しながら以下で説明する。
図１は、本発明に従う代表的な開閉式商品陳列什器を平台（基台）上に組立設置したときの状態を示したものであり、また、図２〜図６は、図１に示す開閉式商品陳列什器から枠体だけを抜き出して示したものであって、図２が斜視図、図３が正面図、図４が側面図、図５が平面（上面）図、そして、図６が底面図を示したものである。
【００１７】
図１に示す開閉式商品陳列什器１は、例えばスーパーマーケットやデパート内のインストアベーカリー売場や惣菜売場において、手作りパンや惣菜等の商品（食品）を、包装せずに剥き出しの状態で陳列するのに適した商品陳列ケースであって、平台（基台）Ｔ上に組立設置され、後述する複数の枠部材１２，１４，１６、（１８）を分離可能に連結して形成される、高強度の骨組構造としての箱状の枠体１０を有している。
【００１８】
尚、平台Ｔは、図１では、本発明の開閉式商品陳列什器１が組立設置されるための専用基台として作製したものを使用した場合を示しているが、現在使用していない既存の平台（例えばテーブル）、例えばキャスター付きのような移動式の平台や、固定式の平台Ｔを、活用または再利用することも可能であり、かかる場合には、開閉式商品陳列什器１が設置される平台Ｔを新たに作製する必要がないため、材料コストの削減が図れるとともに、開閉式商品陳列什器１が設置される場所で、定期または不定期に行なわれるレイアウト変更にも柔軟に対応することができる。
【００１９】
枠体１０は、支柱枠部材１２と１対の側面枠部材１４、１４と上面枠部材１６と底面部材１８とで主に構成されていて、底面部材１８上に、図２に示すように前面枠Ｆ、後面枠Ｂ、左右１対の両側面枠Ｓ、Ｓおよび上面枠Ｕで箱状の空間を区画形成している。
【００２０】
図７は、枠体１０から支柱枠部材１２だけを抜き出して示したものである。図７に示す支柱枠部材１２は、複数本の支柱部２０、図７では１対の左右支柱部２０ａ，２０ｂと、これらの左右支柱部２０ａ、２０ｂの上端同士および下端同士を連結する上側枠部２２および下側枠部２４とで矩形の枠形状に形成されていて、左右支柱部２０ａ、２０ｂの中間位置に、１本の中間支柱部２０ｃをさらに設けた場合を示しているが、かかる中間支柱部２０ｃは、左右支柱部２０ａ、２０ｂ間の寸法に応じて、２本以上の中間支柱部２０ｃを適宜設けることもできる。また、この支柱枠部材１２は、図２に示すように、枠体１０の前後方向ｄ２の中間位置で、枠体１０の左右方向ｄ１に延在し、左右支柱部２０ａ、２０ｂの上端部分と下端部分とが１対の側面枠部材１４、１４に連結されている。
【００２１】
さらに、各支柱部２０ａ、２０ｂ、２０ｃには、棚板２６を支持するためのブラケット２８が係合可能な係止孔３０が、枠体１０の上下方向ｄ３に間隔をおいて複数個形成されていて、棚板２６の取付高さ位置が、陳列する商品寸法等を考慮した所望の位置になるように複数個の係止孔３０の中から選択された任意の係止孔３０にブラケット２８を係合させることができる。なお、支柱枠部材１２の形成方法は、枠体１０に組み立てる前に、３本の支柱部２０ａ、２０ｂ、２０ｃ、上側枠部２２および下側枠部２４を、予め溶接等の種々の接合方法によって連結しておくことが好ましい。
【００２２】
支柱枠部材１２は、例えば複数本の機械構造用鋼管（例えばＳＴＫＭ）を用い、これらの鋼管を溶接等により接合して枠形状として形成することが、什器全体の強度を高める点で好ましいが、他の鋼材を用いて形成することもできる。
【００２３】
図８は、枠体１０から片側の側面枠部材１４だけを抜き出して示したものである。図８に示す側面枠部材１４は、枠体１０の両側面枠Ｓ、Ｓを構成し、支柱枠部材１２の左右両端部分である左右支柱部２０ａ、２０ｂの上端部分および下端部分にそれぞれ連結される上側枠部１４ａおよび下側枠部１４ｂと、これらの上側枠部１４ａおよび下側枠部１４ｂの両端のそれぞれ一端同士を連結する前側枠部１４ｃおよび後側枠部１４ｄとで四角形、図８では台形の枠形状に形成されている。なお、図１に示すように、上下棚板２６、２６上にそれぞれ陳列されている商品が見えやすくするため、上下棚板２６，２６をひな壇状になるように、異なる棚面寸法をもつ上下棚板２６，２６を取り付けるとともに、開閉式商品陳列什器１の前面枠Ｆおよび後面枠Ｂの開口から、陳列されている商品の取出しが可能な構成とするため、台形の枠形状とすることが好ましいが、矩形等の他の四角形の枠形状にしてもよい。
【００２４】
側面枠部材１４もまた、支柱枠部材１２と同様、複数本の機械構造用鋼管（例えばＳＴＫＭ）を用い、これらの鋼管を溶接等により接合して枠形状とすることが高強度を得る点で好ましいが、他の鋼材を用いて形成することもできる。
【００２５】
図９は、枠体１０から上面枠部材１６だけを抜き出して示したものである。図９に示す上面枠部材１６は、枠体１０の上面枠Ｕを構成し、枠体１０の前後位置で、それぞれ枠体１０の左右方向ｄ１に延在する前側枠部１６ａおよび後側枠部１６ｂと、これらの前側枠部１６ａおよび後側枠部１６ｂの両端のそれぞれ一端同士を連結する左側枠部１６ｃおよび右側枠部１６ｄとで矩形や台形などの種々の四角形の枠形状に形成され、さらに、図９の実施形態では、左側枠部１６ｃおよび右側枠部１６ｄの中間位置に、１本の中間補強部１６ｅをさらに設けた場合を示しているが、かかる中間補強部１６ｅは、左側枠部１６ｃおよび右側枠部１６ｄとの間の寸法に応じて、２本以上の中間補強部１６ｅを適宜設けることもできる。また、この上面枠部材１６は、１対の側面枠部材１４、１４および支柱枠部材１２のそれぞれの上側枠部２２に連結される。
【００２６】
上面枠部材１６もまた、支柱枠部材１２および側面枠部材１４と同様、複数本の機械構造用鋼管（例えばＳＴＫＭ）を用い、これらの鋼管を溶接等により接合して枠形状とすることが高強度を得る点で好ましいが、他の鋼材を用いて形成することもできる。
【００２７】
図１０は、枠体１０から底面部材１８の底面板を構成する２枚の分割板１７、１７のうちの１枚の分割板１７だけを抜き出して示したものである。図２に示す底面板１８は、枠体１０の前面枠Ｆの一部を構成する前側外端縁部１８ａと、枠体１０の後面枠Ｂの一部を構成する後側外端縁部１８ｂと、これらの前後外端縁部１８ａ、１８ｂの両端のそれぞれ一端同士を連結する左側外端縁部１８ｃおよび右側外端縁部１８ｄとを有していて、四角形の外端縁形状に形成されている。そして、底面板１８は、図４に示すように、支柱枠部材１２を挟んで枠体１０の前後方向ｄ２に配置した２枚の分割板１７、１７で構成されていて、支柱枠部材１２および１対の側面枠部材１４、１４のそれぞれの下側枠部２４、１４ｂと一体化されている。また、分割板１７は、底面板１８の前側外端縁部１８ａまたは後側外端縁部１８ｂを構成する外端縁部１７ａと、支柱部材１２の下側枠部２４に近接配置される内端縁部１７ｂと、これらの外端縁部１７ａおよび内端縁部１７ｂの両端の一端同士をそれぞれ連結する１対の左右外端縁部１７ｃ、１７ｄとを有している。なお、底面部材１８は、一枚の底面板で構成し、支柱枠部材１２を構成する下側枠部２４を、平台Ｔの上面に連結固定する代わりに、底面部材１８を構成する１枚の底面板の床面に連結する構成であってもよい。
【００２８】
底面部材１８を構成する底面板およびこの底面板を構成する２枚の分割板１７、１７は、それぞれ、図１０に示すように、床面本体１７ｅを、普通鋼板（例えば冷間圧延鋼板（ＳＰＣＣ））等で構成するとともに、床面本体１７ｅの裏面に、普通鋼板（例えば冷間圧延鋼板（ＳＰＣＣ））等を断面がハット状に折り曲げ加工され、枠体１０の左右方向ｄ１に延在する複数本の補強部材、図１０では各３本の補強部材１９を接合して補強した構造とすることが好ましいが、かかる構成だけには限定されず、種々の構造や材質を採用することができる。
【００２９】
加えて、底面部材１８を、他の枠部材と同様に枠形状とし、この枠内の開口を覆うように床面部材をビス等で連結する構成にしてもよい。
【００３０】
また、本発明の開閉式商品陳列什器１は、枠体１０の前面枠Ｆおよび後面枠Ｂのそれぞれの開口に、開口の開閉を可能にする可動透光部材３２を有し、また、枠体１０の両側面枠Ｓ、Ｓおよび上面枠Ｕのそれぞれの開口に、開口を閉鎖する固定透光部材３４を有し、枠体１０の前面枠Ｆおよび後面枠Ｂの少なくとも一方の開口を開放するように可動透光部材３２を移動させた場合には、開閉式商品陳列什器１内に陳列してある商品の出し入れが可能になり、また、枠体１０の前面枠Ｆおよび後面枠Ｂの双方の開口を閉鎖するように可動透光部材３２を移動させた場合には、開閉式商品陳列什器１内を、外部から陳列されている商品に触れることができない閉空間とすることができる。
【００３１】
可動透光部材３２および固定透光部材３４の材質としては、例えば透明なアクリル板等
で構成することが好ましいが、本発明では、開閉式商品陳列什器１内に陳列した商品を、透光部材３２、３４を通して見た場合であっても、外部から視認できる材料で構成されていればよく、種々の透光材料の中から適宜選択することができる。
【００３２】
また、可動透光部材３２は、枠体１０の前面枠Ｆおよび後面枠Ｂのそれぞれの開口の開閉を可能にする構造を有していればよく、例えば、図１および図３に示すように、枠体１０の前面枠Ｆと後面枠Ｂの上下枠部にそれぞれ上側レール３６と下側レール３８を配設し、複数枚、図１では４枚の透明なアクリルパネルからなる可動透光部材３２と下側レール３８との間に車輪３７等の摺動部材を設けて構成した引き違い戸のような引き戸や、左右２枚の戸を開閉可能に取り付ける両開き戸のような開き戸等に構成する場合が挙げられる。
【００３３】
なお、図１の実施形態では、枠体１０の前面枠Ｆの開口と後面枠Ｂの開口に、それぞれ可動透光部材３２である引き違い戸を配設するため、枠体１０の前面枠Ｆの開口と後面枠Ｂの開口の一部を構成する、上面枠部材１６の前後枠部１６ａ、１６ｂに、上側レール３６を取り付け、また、枠体１０の前面枠Ｆの開口と後面枠Ｂの開口の一部を構成する、底面部材１８の前後外端縁部１８ａ、１８ｂ（厳密には分割板１７の外端縁部１７ａ）に下側レール３８を取り付けた場合を示しているが、可動透光部材３２を両開き戸などの異なる開閉動作をする態様で構成する場合には、必ずしも上下レール３６、３８を配設する必要はない。
【００３４】
また、可動透光部材３２を、複数枚の透光パネル（例えばアクリルパネル）で構成した引き違い戸で構成する場合には、図１１および図１２に示すように、底面部材１８の前後外端縁部１８ａ、１８ｂ（より厳密には各分割板１７、１７の外端縁部１７ａ）に、枠体１０の前後方向ｄ２の内側に向かって傾斜させた傾斜上面４０ａをもつレール台座４０を設け、下側レール３８は、レール台座４０の傾斜上面４０ａに載置された状態で底面部材１８を構成する分割板１７の外端縁部１７ａに分離可能に連結されることが好ましい。また、レール台座４０に、分割板１７の外端縁部１７ａに形成した第１スリット４２、図１０（ｂ）に示す実施形態では、３個の第１スリット４２に係合して連結可能な３個のフック部４４を設けることにより、簡単にレール台座４０を分割板１７に取り付けることができる。
【００３５】
さらに、下側レール３８に、第１スリット４２を貫通して係合可能な爪部４６を設けることにより、下側レール３８が、レール台座４０の傾斜上面４０ａ上を、分割板１７の外端縁部１７ａに向かって摺動移動させながら簡単に分割板１７に連結することができ、しかも、レール台座４０の傾斜上面４０ａの傾斜に起因して、下側レール３８が、自重により分割板１７との連結状態を維持する方向に押し付けられることになり、また、分割板１７から下側レール３８を取り外す場合には、下側レール３８を手前に引っ張るだけで、下側レール３８の爪部４４と、分割板１７の第１スリット４２との係合状態が簡単に解除できる構成であるため、下側レール３８内の掃除も簡便に行なうことができる。なお、下側レール３８の分割板１７へのより確実な連結が必要な場合には、上述した下側レール３８の爪部４６と分割板１７の第１スリット４２による係合だけではなく、さらに、下側ガイドレール３８の下面に第２の爪部（図示せず）を設けるとともに、レール台座４０の傾斜上面４０ａに第２スリット（図示せず）をさらに設け、これらを係合させることも可能であり、これらの構成は、特に側面枠部材１４を矩形枠にして前面枠Ｆと後面枠Ｂが垂直に立設される場合に採用することが好ましく、これらの構成は、必要に応じて適宜改変することができる。
【００３６】
次に、図１に示す開閉式商品陳列什器の組立設置方法の手順の一例を説明する。
まず、支柱枠部材１２を、平台（基台）Ｔの上面板上に垂直に立てた状態で載置し、この状態で平台Ｔの上面板にビス等を用いたねじ連結で固定する。次に、底面部材１８の底面板を構成する２枚の分割板１７、１７を、平台Ｔの上面上に支柱枠部材１２を挟んだ前後位置に配置し、平台Ｔの上面板にビス等を用いたねじ連結で固定する。その後、予め前後枠部１６ａ、１６ｂに２列の上側レール３６を取り付けた上面枠部材１６を、支柱枠部材１２の上側枠部２２上に水平に載置して、この載置状態にてビス等を用いたねじ連結で固定する。さらに、１対の側面枠部材１４を、支柱枠部材１２、底面板１８（２枚の分割板１７、１７）および上面枠部材１６にビス等を用いたねじ連結で固定することによって、高強度の骨組構造としての箱状の枠体１０を平台Ｔ上に組立設置することができる。次いで、両側面枠部材１４、１４および上面枠部材１６に、それらの開口を覆うように、アクリルパネル等の固定透光部材３４を嵌め合わせた後にビス等を用いたねじ連結で取り付ける。そして、底面板１８の前後端縁部（２枚の分割板１７、１７の外端縁部１７ａ）に、レール台座４０と２列の下側レール３８とを順次取り付け、次いで、支柱枠部材１２の各支柱部２０ａ、２０ｂ、２０ｃに設けたスリット３０にブラケット２８を取り付け、左右1対のブラケット２８、２８上に棚板２６を取り付け、その後、２列の上側レール３６と２列の下側レール３８との間に、各列２枚、合計４枚の可動透光部材３２を嵌め合わせて、２対の引き違い戸を取り付けることによって、平台Ｔと一体になった開閉式商品陳列什器１を組立設置することができる。
【００３７】
上述したところは、この発明の実施形態の一例を示したにすぎず、特許請求の範囲において種々の変更を加えることができる。例えば、開閉式商品陳列什器１の内部を明るくするための照明が必要な場合には、図９（ｂ）に円形破線で示した什器１内の上方位置にＬＥＤ照明４７などの各種照明を配設することができる。また、上述した実施形態では、開閉式商品陳列什器１を構成する底面部材１８（２枚の分割板１７、１７）や支柱枠部材１２の下側枠部２４を、平台Ｔの上面板に予め埋め込まれていた鬼目ナットにビス４８等でねじ連結する構成を示したが、開閉式商品陳列什器１を平台Ｔ上にねじ連結することなく載置するだけで使用すること可能である。
【産業上の利用可能性】
【００３８】
本発明によれば、特にスーパーマーケットやデパート内のインストアベーカリー売場や惣菜売場において、手作りパンや惣菜等の商品（食品）を、包装せずに剥き出しの状態で陳列した場合であっても、商品に埃が付着したり虫が止まったり人が安易に触ったりするのを防止して衛生面を向上させることができ、また、例えば移動式または固定式の既存の平台（テーブル）を什器の基台として用い、この平台上での組立設置作業や解体作業を容易に行なうこともでき、さらに、複数のパーツを用いて分離可能に組み立てる組立式構造を有するにもかかわらず、什器全体の強度を高い開閉式商品陳列什器を提供することが可能になった。
【符号の説明】
【００３９】
１  開閉式商品陳列什器
１０  枠体
１２  支柱枠部材
１４  側面枠部材
１６  上面枠部材
１８  底面部材
２０  支柱部
２０ａ、２０ｂ  左右支柱部
２０ｃ  中央支柱部
２２  上側枠部
２４  下側枠部
２６  棚板
２８  ブラケット
３０  係止孔
３２  可動透光部材
３４  固定透光部材
３６  上側レール
３７  車輪
３８  下側レール
４０  レール台座
４２  第１スリット
４４  フック部
４６  爪部
４７  ＬＥＤ照明
４８  ビス
Ｆ  前面枠
Ｂ  後面枠
Ｓ  両側面枠
Ｕ  上面枠
ｄ１  枠体の左右方向
ｄ２  枠体の前後方向
ｄ３  枠体の上下方向
【図１】
2016144491.tif 000003
【図２】
2016144491.tif 000004
【図３】
2016144491.tif 000005
【図４】
2016144491.tif 000006
【図５】
2016144491.tif 000007
【図６】
2016144491.tif 000008
【図７】
2016144491.tif 000009
【図８】
2016144491.tif 000010
【図９】
2016144491.tif 000011
【図１０】
2016144491.tif 000012
【図１１】
2016144491.tif 000013
【図１２】
2016144491.tif 000014